(57)【要約】【課題】空気を吸引してほこりなどを取るフィルタが目詰まりをおこしても本来の送風性能が確保されること。【解決手段】吸込口２を開閉する前面パネル７と、フィルタ８にほこりが詰まることを検知する目詰まり検知手段９を設け、フィルタ８内のほこりの目詰まりに応じてパネル７の開度を変化させることにより、空気の吸い込み風量を増加させて、フィルタ８の目詰まりによる風量減少を補い、送風性能を確保することができる。【選択図】図１
2006275310.tif 000002
【特許請求の範囲】
【請求項１】
熱交換器と、ファンと、吹出口と、空気通路の吸込口にフィルタと、前記吸込口を開閉する前面パネルとを有し、前記フィルタにほこりが詰まることを検知する目詰まり検知手段を設け、前記フィルタ内のほこりの目詰まりに応じてパネルの開度を変化させる空気調和装置。
【請求項２】
目詰まり検知手段は、空気通路の吸込口に設けたフィルタの少なくとも風下側に設けた風速検知手段とした請求項１に記載の空気調和装置。
【請求項３】
目詰まり検知手段は、空気通路の吸込口に設けたフィルタの少なくとも風下側に設けた風圧検知手段とした請求項１に記載の空気調和装置。
【請求項４】
目詰まり検知手段は、空気通路の吸込口に設けたフィルタの少なくとも風下側に設けた輝度検知手段とした請求項１に記載の空気調和装置。
【発明の詳細な説明】
【技術分野】
【０００１】
本発明は吸込口を開閉する前面パネルの開閉により、室内ユニットの風量を制御する空気調和装置に関するものである。
【背景技術】
【０００２】
従来、この種の空気調和装置は、空気吸込口を開閉する前面パネルを設け、室内ユニットに内蔵された開閉装置で前面パネルを前後に開閉する構成を持っている（例えば、特許文献１参照）。
【０００３】
図３は、特許文献１に記載された従来の室内ユニットの正面図、図４は、室内ユニットの略側断面図を示すものである。図４に示すように、吸込口２と、熱交換器３と、吹出口４と、ファン５と、開閉装置６と、パネル７と、フィルタ８から構成されている。
【０００４】
室内ユニット１内部に、空気を吸い込むために開閉装置６を使用してパネル７を前方へ開け、パネル７と室内ユニット１本体との隙間の吸込口２から吸い込んだ空気を熱交換器３中を流れる冷媒と熱交換し、熱交換された空気をファン５によって吹出口４から排出する。室内ユニット１内部では、吸い込む空気をきれいにするために熱交換器３の吸い込み側にフィルタ８が設置されている。
【０００５】
パネル７は、空気調和装置の室内ユニット１が運転する場合、開閉装置６により開かれ、その後室内ユニット１付近の空気を吸込口２から吸引してフィルタ８、そして熱交換器３を通過し、吹出口４からファン５により排出される。そして、近年意匠性の高い室内ユニットを実現する為に、室内ユニット１のパネル７は、運転停止時に閉じることで意匠性の向上がはかられている。
【特許文献１】特開平０４−０８４０４２号公報
【発明の開示】
【発明が解決しようとする課題】
【０００６】
しかしながら、前記従来の構成では、空気を吸引してほこりなどを取るフィルタが目詰まりをおこして風量が低減し、本来の送風性能が確保できないという課題を有していた。
【０００７】
本発明は、前記従来の課題を解決するもので、開閉装置で前面パネルを前後に開閉する室内ユニットにおいて送風性能を確保できる空気調和装置を提供することを目的とする。
【課題を解決するための手段】
【０００８】
前記従来の課題を解決するために、本発明の空気調和装置は、空気を吸引してほこりなどを取るフィルタが目詰まりをおこした場合、空気吸込口を開閉するパネルの開度を変化させたものである。
【０００９】
これによって、フィルタの目詰まりによって、吹き出される空気の風量が大きく減少していたが、目詰まり時にパネルの開度を大きくすることにより風量を増加させることができ、送風性能を確保できるものである。
【発明の効果】
【００１０】
本発明の空気調和装置は、フィルタが目詰まりした場合でも、送風性能を確保でき、ユーザーに快適な空気調和環境を提供することができる。また送風性能の低下を抑えることにより、省エネ運転を行うことができる。
【発明を実施するための最良の形態】
【００１１】
第１の発明は、吸込口を開閉する前面パネルと、フィルタにほこりが詰まることを検知する目詰まり検知手段を設け、フィルタ内のほこりの目詰まりに応じてパネルの開度を変化させることにより、空気の吸い込み風量を増加させて、フィルタの目詰まりによる風量減少を補い、送風性能を確保することができる。
【００１２】
第２の発明は、特に、第１の発明の目詰まり検知手段を、空気通路の吸込口に設けたフィルタの少なくとも風下側に設けた風速検知手段とすることにより、フィルタにほこりが詰まることを検知し、フィルタ内のほこりの目詰まりに応じてパネルの開度を変化させることにより、空気の吸い込み風量を増加させて、フィルタの目詰まりによる風量減少を補い、送風性能を確保することができる。
【００１３】
第３の発明は、特に、第１の発明の目詰まり検知手段を、空気通路の吸込口に設けたフィルタの少なくとも風下側に設けた風圧検知手段とすることにより、フィルタにほこりが詰まることを検知し、フィルタ内のほこりの目詰まりに応じてパネルの開度を変化させることにより、空気の吸い込み風量を増加させて、フィルタの目詰まりによる風量減少を補い、送風性能を確保することができる。
【００１４】
第４の発明は、特に、第１の発明の目詰まり検知手段を、空気通路の吸込口に設けたフィルタの少なくとも風下側に設けた輝度検知手段とすることにより、フィルタにほこりが詰まることを検知し、フィルタ内のほこりの目詰まりに応じてパネルの開度を変化させることにより、空気の吸い込み風量を増加させて、フィルタの目詰まりによる風量減少を補い、送風性能を確保することができる。
【００１５】
以下、本発明の実施の形態について、図面を参照しながら説明する。尚、この実施の形態によって本発明が限定されるものではない。
【００１６】
（実施の形態１）
図１は、本発明の第１の実施の形態における室内ユニットの略側断面図を示すものである。
【００１７】
図１において、図４に示した従来の実施の形態における室内ユニットの略側断面図とほぼ同じであるが、フィルタ８の目詰まりを検知する目詰まり検出装置９が設けられている。
【００１８】
室内ユニット１のパネル７は、空気調和装置の室内ユニット１が運転する場合、開閉装置６によりＣからＤ方向即ち前方方向に開かれ、その後室内ユニット１付近の空気をＡ方向などから吸込口２を通して吸引してフィルタ８を通過して熱交換器３を通過し、吹出口４からファン５によりＢ方向に排出される。
【００１９】
その際、目詰まり検出装置９はフィルタ８の目詰まり度合を検知し、その度合に応じて開閉装置６が制御されてパネル７の開度を変化させ、空気の吸い込み風量を増加させる。
【００２０】
図２は、本発明の第１の実施の形態における目詰まり度合に応じたパネルの開度の制御図である。本実施例では、開度はパネルと室内ユニットの間の隙間長さを表すが、パネルが斜めに開口する場合には、パネルの角度を表してもいいし、またパネルが従来例で示されたようにラックとピニオンギア等によって制御されている場合には、ギアの回転数で表してもよい。
【００２１】
図２において、室内ユニット１が運転中、初期状態、即ち目詰まり検知手段９による目詰まり検知度Ｅ未満で、フィルタ８は目詰まりしていない場合には、パネル７の開度が開度Ｈであり、目詰まり検知度Ｅ以上になると開度Ｉに開き、目詰まり検知度Ｆ以上になると開度Ｊに開き、フィルタ８の目詰まり検知度Ｇ以上になると開度Ｋに開く。
【００２２】
つまり、目詰まり検知手段によりフィルタ８が目詰まりしていると判断すれば、その目詰まり度に応じてパネル７の開度を開き、これにより吸い込み風量が増加し、吹き出される風量も増加する。従って、フィルタの目詰まりによる風量減少を補い、送風性能を確保することができ、ユーザーに快適な空気調和環境を提供することができる。また送風性能の低下を抑えることにより、省エネ運転を行うことができる。
【００２３】
また、本実施の形態の目詰まり検知手段を、空気通路の吸込口に設けたフィルタの少なくとも風下側に設けた風速検知手段とすることにより、通常時の風速値と風速検知手段による実風速値とを比較することでフィルタにほこりが詰まることを検知することができる。
【００２４】
また、本実施の形態の目詰まり検知手段を、空気通路の吸込口に設けたフィルタの少なくとも風下側に設けた風圧検知手段とすることにより、通常時の風圧値と風圧検知手段による実風圧値とを比較することでフィルタにほこりが詰まることを検知することができる。
【００２５】
また、本実施の形態の目詰まり検知手段を、空気通路の吸込口に設けたフィルタの少なくとも風下側に設けた輝度検知手段とすることにより、通常時の輝度と輝度検知手段による実輝度とを比較することでフィルタにほこりが詰まることを検知することができる。
【００２６】
尚、上記目詰まり検知手段をフィルタの風上側にも設け、通常時の値の代わりに実計測値と比較してフィルタにほこりが詰まることを検知してもよい。
【産業上の利用可能性】
【００２７】
以上のように、本発明にかかる空気調和装置は、パネル開度制御によってフィルタ目詰まり時に風量を確保することが可能となるので、換気扇や空気清浄機等の用途にも適用できる。
【図面の簡単な説明】
【００２８】
【図１】本発明の実施の形態１における室内ユニットの略側断面図
【図２】本発明の実施の形態１における目詰まり度合に応じたパネルの開度の制御図
【図３】従来の室内ユニットの正面図
【図４】従来の室内ユニットの略側断面図
【符号の説明】
【００２９】
１  室内ユニット
２  吸込口
３  熱交換器
４  吹出口
５  ファン
６  開閉装置
７  パネル
８  フィルタ
９  目詰まり検知手段
【図１】
2006275310.tif 000003
【図２】
2006275310.tif 000004
【図３】
2006275310.tif 000005
【図４】
2006275310.tif 000006